(57)【要約】【課題】  利用者が飲酒中に利用しやすく、適度なタイミングで自分の呼気中のアルコール濃度を知ることができる電子楽器用モジュールおよび電子楽器を提供する。【解決手段】  本発明の電子楽器は、出力すべき音が入力される入力手段と、利用者の呼気中のアルコール濃度を検出するアルコール濃度検出手段と、前記アルコール濃度検出手段が検出したアルコール濃度に基づいて、前記入力手段に入力された出力すべき音の波形を変調する変調手段とを備えているので、利用者が飲酒中に利用しやすい。また、利用者および聴衆が適度なタイミングで呼気中のアルコール濃度を知ることができる。【選択図】      図２
2014163994.tif 000002
【特許請求の範囲】
【請求項１】
利用者の呼気中のアルコール濃度を検出するアルコール濃度検出手段と、
前記アルコール濃度検出手段が検出したアルコール濃度に基づいて音の波形を変調する変調手段と、
を備えた、電子楽器用モジュール。
【請求項２】
出力すべき音が入力される入力手段と、
利用者の呼気中のアルコール濃度を検出するアルコール濃度検出手段と、
前記アルコール濃度検出手段が検出したアルコール濃度に基づいて、前記入力手段に入力された出力すべき音の波形を変調する変調手段と、
を備えた、電子楽器。
【請求項３】
前記変調手段は、音程、和音、拍子、音量および楽器の種類からなる群より選択される少なくとも１つを変化させることにより音の波形を変調する、請求項1に記載の電子楽器用モジュールまたは請求項2に記載の電子楽器。
【発明の詳細な説明】
【技術分野】
【０００１】
本発明は、利用者のアルコール濃度に基づいて音の波形を変調する電子楽器およびそのためのモジュールに関する。
【背景技術】
【０００２】
一般的に宴会は、居酒屋などのお酒を提供する店舗や家などで、多人数により行われる場合が多く、また同時に飲酒を伴うことが多い。アルコール飲料を過度に飲むと、自らの健康に悪いのは勿論であるが、アルコールを飲んでいない人に対しては口臭を気にさせたり、さらには、他人に絡んで迷惑をかけたりすることもある。また、当然のことながら、車の運転も禁じられる。
【０００３】
しかし、宴会で飲酒する人はたいてい他人との会話に夢中になっているため、飲酒量を他人に合わせてしまい自らの飲酒量がよく分からず、飲酒量を調整することが難しい。もし飲酒中に自らの飲酒量を知ることができれば、飲酒量が過剰である場合には飲みすぎを防ぐために飲酒量を制限したり、逆に飲酒量が少ない場合には安心してさらに飲んだりすることができるため、自分に合わせて飲酒量を調整することができる。
【０００４】
ところで、現在、携帯用のアルコール濃度測定器が販売されている。販売されている測定器には、携帯電話より小さく、消費電力が少なく、また、操作も簡単であり、軽く息を吹きかけるだけで測定ができ、測定速度が10秒以内のものがある。このように高性能でありかつダウンサイジングが可能となった技術背景には、改良が進んだ半導体ガスセンサの利用によるところが大きい。
【０００５】
半導体ガスセンサを用いた人体発生ガス濃度測定器に関わる出願として、例えば、特許文献1には、人体から発生する呼気に含まれる口臭の有無並びに呼気中に含まれている悪臭物質の濃度を、半導体ガスセンサを用いて測定する臭気測定器に関する技術が開示されている。この臭気測定器は、呼気中の口臭物質を測定して表示するものであり、測定した結果を利用し他のものに活かすものではない。
【０００６】
また、特許文献2には、半導体ガスセンサを利用した、呼気中のアルコール濃度検知センサを内蔵したアルコール濃度測定器に関する技術が開示されている。このアルコール濃度測定器は、酒気帯び度を測定するために用いられるものであり、測定した結果を利用し他のものに活かすものではない。
【０００７】
また、宴会などの飲酒場では、一般的にパーティーグッズと呼ばれる道具を持ち込み、飲酒場を盛り上げることも多い。しかし、パーティーグッズは主に飲酒場で使われるにもかかわらず、飲酒そのものと組み合わせられたパーティーグッズは少ない。
【０００８】
パーティーグッズではないが、例えば、特許文献3には、アルコール濃度測定機能付きカラオケマイクおよびこれを用いたカラオケシステムが開示されている。このシステムは、カラオケマイクにアルコール濃度測定手段を付帯させ、利用者がこのカラオケマイクを利用して歌唱中に、その測定したアルコール濃度の測定データを所定のタイミングにて、カラオケ演奏装置が付帯した表示装置に表示させるものである。
【０００９】
しかし特許文献3に記載のシステムは、利用者にアルコール濃度を提示するだけに留まり、利用者のアルコール濃度を利用し他のものに活かすものではない。
【００１０】
また、宴会では、宴会芸として演奏を披露したり、カラオケなどの歌に合わせて演奏または伴奏したりするために楽器が使用されることがある。このような楽器にも、飲酒行為や飲酒量と組み合わせられたものはない。
【００１１】
ここで、従来の電子楽器の一例について図1を参照して説明する。図1は、従来の電子楽器の一例であるシンセサイザ100のブロック構成図である。
【００１２】
シンセサイザ100は、制御回路基板101、鍵盤102およびスピーカー103により構成されている。制御回路基板101は、音程検出部121、和音検出部122、拍子検出部123および音量検出部124を備えた検出部111と、波形データ生成部112と、増幅部113と、CPU114と、ROM115と、RAM116とにより構成されている。制御回路基板101上の各部はBUSに接続されている。
【００１３】
CPU114は、ROM115に記憶されている制御プラグラムを実行することにより、制御回路基板101全体を制御する。ROM115には、CPU114を動作させるプログラム、音の波形データを生成するために必要な各種データなどが記憶されている。RAM116には、CPU114による制御に必要な各種のプログラムおよびデータが一時的に記憶される。
【００１４】
鍵盤102のキーが押されると、押されたキーの位置から、音程検出部121は音程を検出し、和音検出部122は和音であるか否かおよび和音であれば音の組み合わせを検出し、検出結果を波形データ生成部112に送信する。また、拍子検出部123はキーが押された状態の長さおよびタイミングから音の拍子（ピッチ）を検出し、検出結果を波形データ生成部112に送信する。音の拍子には、たとえば音の長さ、前後の音との間隔などが含まれる。音量検出部124はキーが押された強さから音量を検出し、検出結果を波形データ生成部112に送信する。
【００１５】
波形データ生成部112は、検出部111の各部から受信したデータに基づいて音の波形データを作成し、増幅部113に送信する。増幅部113は受信した波形データに基づき増幅してスピーカー103に出力する。
【００１６】
このように、従来の電子楽器は、鍵盤等により入力される音の音程、和音、拍子および音量を忠実に反映した音をスピーカー103から出すものである。
【先行技術文献】
【特許文献】
【００１７】
【特許文献１】特開昭６４−３５３６８号公報
【特許文献２】実公平０７−３３１６２号公報
【特許文献３】特開２００５−２４２０６２号公報
【発明の概要】
【発明が解決しようとする課題】
【００１８】
上述した従来の臭気測定器、アルコール濃度測定器およびアルコール濃度測定機能付きカラオケマイクは、呼気中の悪臭物質濃度またはアルコール濃度を測定して、その結果を利用者にただ表示するのみであり、エンタテイメント性が非常に低い。自分のアルコール摂取量を調整するためには、飲酒中に何度も自分の呼気中のアルコール濃度を測定しなければならないが、従来のアルコール濃度測定器は、宴会中に何度も他人との会話を中断することを必要とする。そのため、適度なタイミングで自分の呼気中のアルコール濃度を知ることができず、アルコール摂取量を適切に調整することが困難である。
【００１９】
従来のアルコール濃度測定器は、高性能でありかつ小型化されていたとしても、アルコール濃度を測定する機能しか備えていないため、普段は必要とせず、飲酒する場合にのみ必要となるものである。しかし飲酒は必ずしも予定されているとは限らず、急に飲酒することになることもある。したがって、アルコール濃度測定器は飲酒時にあればよいのにも拘わらず、常に携帯しなければならないという不都合がある。
【００２０】
また、アルコール濃度測定器は一般にあまり普及していないため、所持する人の数は極めて少なく、アルコール摂取者がアルコール摂取量を定量的な数値で認識することはほとんどできていない状況である。
【００２１】
また、宴会中に用いられる従来の楽器には、アルコール濃度を測定する機能は付帯されておらず、利用者が自らの飲酒量を知ることはできない。
【００２２】
そこで本発明は、上記従来技術が有する問題に鑑みてなされたものであり、利用者が飲酒中に利用しやすく、適度なタイミングで自分の呼気中のアルコール濃度を知ることができる、電子楽器用モジュールおよび電子楽器を提供することを目的とする。
【課題を解決するための手段】
【００２３】
上記課題に鑑み、本発明者らは、アルコール濃度測定手段を電子楽器に付帯させ、利用者が電子楽器を利用中に利用者の呼気中のアルコール濃度を測定し、その測定データを用いてリアルタイムに電子楽器から出る音の波形をアルコール濃度に応じて変化させるというアイデアを見出した。アルコール濃度に応じて音が変わるという電子楽器はこれまでになく、かつエンタテイメント性が高いため、利用者が飲酒中に利用しやすく、適度なタイミングで自分の呼気中のアルコール濃度を知ることができるという課題を解決できると考え、本発明をなすに至った。
【００２４】
すなわち、本発明は、利用者の呼気中のアルコール濃度を検出するアルコール濃度検出手段と、上記アルコール濃度検出手段が検出したアルコール濃度に基づいて音の波形を変調する変調手段とを備えた、電子楽器用モジュールを提供する。
【００２５】
また本発明は、出力すべき音が入力される入力手段と、利用者の呼気中のアルコール濃度を検出するアルコール濃度検出手段と、上記アルコール濃度検出手段が検出したアルコール濃度に基づいて、上記入力手段に入力された出力すべき音の波形を変調する変調手段とを備えた、電子楽器を提供する。
【００２６】
また本発明は、上記電子楽器用モジュールまたは電子楽器において、上記変調手段は、音程、和音、拍子、音量および楽器の種類からなる群より選択される少なくとも１つを変化させることにより音の波形を変調する、電子楽器用モジュールまたは電子楽器を提供する。
【発明の効果】
【００２７】
本発明は、アルコール濃度検出手段および波形変調手段を備えた電子楽器であり、利用者の呼気中のアルコール濃度に基づいて音の波形を変調するものである。本発明の電子楽器は、利用者の飲酒量に応じて音が変化するため、エンタテイメント性が非常に高く、宴会中に使用しやすい。また利用者および聴衆が、電子楽器の音を聞くだけで利用者の飲酒量を容易に知ることができる。このように、本発明であれば、利用者に対し何ら負荷を与えることなく、効率的に利用者の飲酒量（呼気中のアルコール濃度）を測定することができる。そのため、利用者が飲酒中に利用しやすく、適度なタイミングで自分の呼気中のアルコール濃度を知り、アルコール摂取量を適切に調整することができる。
【図面の簡単な説明】
【００２８】
【図１】従来の電子楽器の一例であるシンセサイザ100のブロック構成図。
【図２】本発明の電子楽器の一実施形態である電子笛1のブロック構成図。
【図３】本発明の電子楽器の一態様を表す図。
【図４】本発明の電子笛を使用する際の処理の流れの一例を示すフローチャート図。
【発明を実施するための形態】
【００２９】
（電子笛1および電子笛モジュール2の構成）
以下、本発明の電子楽器用モジュールおよび電子楽器について、一実施形態を例にして詳述する。図2は、本発明の電子楽器の一実施形態である電子笛1のブロック構成図である。
【００３０】
電子笛1（電子楽器）は、制御回路基板11と、アルコールセンサ12（アルコール濃度検出手段）と、ボタン13（入力手段）と、圧力センサ14（入力手段）と、スピーカー15（出力手段）と、表示部16とにより構成されている。制御回路基板11は、アルコール濃度判定部21と、音源選択部22と、検出部23と、変調部24（変調手段）と、波形データ生成部25と、増幅部26と、画像生成部27と、CPU28と、ROM29と、RAM30とにより構成されている。検出部23は、音程検出部31、和音検出部32、拍子検出部33および音量検出部34を備えている。変調部24は、音程変調部41、和音変調部42、拍子変調部43および音量変調部44を備えている。制御回路基板11上の各部はBUSに接続されている。
【００３１】
電子笛1の構成要素のうち、アルコールセンサ12、アルコール濃度判定部21および変調部24は電子笛モジュール2（電子楽器用モジュール）を構成する。電子笛モジュール2は、電子笛に対しアルコール濃度測定機能および利用者のアルコール濃度に基づいて電子笛から出力される音を変調させる機能を付与させるモジュールである。
【００３２】
CPU28は、ROM29に記憶されている制御プラグラムを実行することにより、制御回路基板11全体を制御する。ROM29には、CPU28を動作させるプログラムおよび音の波形データを作成するために必要な各種データなどが記憶されている。RAM30には、CPU28による制御に必要な各種のプログラムおよびデータが一時的に記憶される。
【００３３】
ボタン13は、固有の音程の音の出力を指示するためのスイッチである。ボタン13は、複数設けられ、それぞれが異なる音程の音に対応していてもよい。圧力センサ14は、図示しない吹き口から吹き込まれた呼気の圧力値を検出するセンサである。ボタン13および圧力センサ14は、利用者によって電子笛1から出力させたい音（出力すべき音）が入力される入力手段である。利用者は、ボタン13を押しながら、図示しない吹き口から呼気を吹き込むことにより、そのボタン13に固有の音程を出力すべき音の音程として入力することができる。また、吹き込む呼気の強さや長さによって、音の強さや長さを入力することができる。なお、ボタン13は、半押しした状態と完全に押し切った状態とで異なる音程の音、たとえば半音異なる音が出力されるように構成されていてもよい。
【００３４】
検出部23の各部は、ボタン13および圧力センサ14を介して利用者が入力した、出力すべき音の音程、和音、拍子および音量を検出する。
【００３５】
具体的には、電子笛1の図示しない吹き口から呼気が吹きこまれたとき、押されているボタン13の位置およびその組み合わせから、音程検出部31は音程を検出し、和音検出部32は和音であるか否かおよび和音であれば音の組み合わせを検出する。また、拍子検出部33は、圧力センサ14が圧力値を検出した時間の長さおよび間隔から、音の拍子（ピッチ）を検出する。音の拍子には、たとえば音の長さ、前後の音との間隔などが含まれる。音量検出部34は、圧力センサ14が検出した圧力値から音量を検出する。
【００３６】
電子笛1は、圧力センサ14と検出部23との間に、図示しない圧力値判定手段を備えていてもよい。圧力値判定手段は、圧力センサ14が検出した圧力値が発音閾値より大きいか否かを判定し、大きい場合には圧力値を検出部23に送信し、発音閾値以下である場合には送信しない。発音閾値は、吹き込まれた呼気が音を出力するために十分な圧力を有するか否かを判定するための閾値である。これにより、吹き込まれた呼気の圧力値が発音閾値より大きい場合にのみ音が出力される。発音閾値は、図示しない記憶部に記憶されていてもよい。
【００３７】
音程検出部31、和音検出部32、拍子検出部33および音量検出部34は、検出した音程、和音、拍子および音量を、音の波形を生成するためのデータに変換し、それぞれ音程変調部41、和音変調部42、拍子変調部43および音量変調部44に送信する。たとえば、音程および和音は音の周波数を示すデータに変換され、拍子は波形が出現または消失するタイミングを示すデータに変換され、音量は波形の振幅を示すデータに変換される。
【００３８】
アルコールセンサ12は、吹き口から吹き込まれた利用者の呼気中のアルコール濃度を検出するセンサであり、検出したアルコール濃度をアルコール濃度判定部21に送信する。アルコールセンサ12として、たとえば公知の半導体ガスセンサを用いることができる。
【００３９】
アルコール濃度判定部21は、アルコールセンサ12が検出したアルコール濃度に基づいて、音の波形を変調するための変調信号を生成し、変調部24に送信する。変調部24は、変調信号を受信した場合には、検出部23が検出した音の波形を変調する。これにより、変調部24は、アルコール濃度に基づいて音の波形を変調することができる。
【００４０】
たとえば、アルコール濃度判定部21は、アルコール濃度が予め設定された変調閾値よりも高い場合に変調部24に対し変調信号を送信してもよい。この場合には、アルコール濃度が変調閾値よりも高い場合に音の波形が変調され、変調閾値以下である場合には変調信号が送信されないので入力された音がそのまま出力される。したがって、利用者は、変調された音を聞くことにより、自身の飲酒量が所定の量を超えたことを知ることができる。
【００４１】
変調閾値は、図示しない記憶部に記憶されていてもよく、図示しない入力手段により入力されたものであってもよい。
【００４２】
また、変調閾値が複数設定されていてもよく、たとえば段階的に設定されていてもよい。この場合には、アルコール濃度判定部21は、アルコール濃度が複数の変調閾値のうちいずれの2つの変調閾値の間にあるかによって異なる変調信号を送信してもよい。変調信号は、それぞれ固有の変調方法によって音の波形を変調させるための信号であってもよい。変調部24は、受信した変調信号に対応する変調方法を用いて音の波形を変調する。変調信号に対応する変調方法は、図示しない記憶部に記憶されていてもよい。
【００４３】
また、上述した態様に限定されず、出力される音は、アルコール濃度に基づき連続的に変調されてもよいし、ランダムに変調されてもよい。
【００４４】
本明細書において「波形を変調する」とは、波形の形状を変化させることをいう。たとえば波形の振幅、周波数、位相などを変えたり、波形の出現および消失のタイミングを変更したり、別の波形を加えたり、または別の波形に置き換えたりすることにより、波形を変調させることができる。
【００４５】
具体的には、変調部24は、変調信号を受信した場合、図示しない記憶部に予め記憶されているプログラムにしたがって、検出部23から受信したデータを別のデータに変換することにより、音の波形を変調することができる。
【００４６】
より具体的には、たとえば音程変調部41および和音変調部42は、受信したデータが示す音の周波数をプログラムにしたがって変化させて、異なる音程および和音の組み合わせを示す新たなデータを作成する。またたとえば、拍子変調部43は、受信したデータが示す波形が出現または消失するタイミングをプログラムにしたがって変化させて、異なる音の長さ、タイミング等を示す新たなデータを作成する。またたとえば、音量変調部44は、受信したデータが示す振幅をプログラムにしたがって変化させて、異なる音量を示す新たなデータを作成する。そして、これらの変換後の新たなデータを波形データ生成部25に送信する。
【００４７】
なお、変調部24が変調信号を受信した場合に、音程変調部41、和音変調部42、拍子変調部43および音量変調部44の少なくとも1つがデータを変換すればよい。したがって、たとえば音程のみが変調されてもよいし、音程および音量のみが変調されてもよい。
【００４８】
変調部24の各部は、変調信号を受信しない場合には、検出部23の各部から受信したデータを変換せずにそのまま波形データ生成部25に送信する。
【００４９】
音源選択部22は、音源となる楽器の種類を選択し、選択した楽器の種類を示す信号を作成して波形データ生成部25に送信する。選択される楽器の種類は、予め設定されていてもよいし、図示しない入力手段から入力されたものであってもよい。
【００５０】
アルコール濃度判定部21は、アルコール濃度が変調閾値よりも高い場合に、変調部24ではなく音源選択部22に変調信号を送信してもよい。この場合には、音源選択部22が変調手段となる。音源選択部22は、変調信号を受信した場合には、選択されるべき音源とは別の音源を選択する。たとえば図示しない入力手段から選択されるべき音源としてピアノが入力されているときに、変調信号を受信した場合には、バイオリンを選択するように構成されていてもよい。
【００５１】
また、アルコール濃度判定部21は、アルコール濃度が変調閾値よりも高い場合に、変調部24と音源選択部22との両方に変調信号を送信してもよい。
【００５２】
すなわち、本発明の変調手段は、音程、和音、拍子、音量および楽器の種類からなる群より選択される少なくとも１つを変化させることにより音の波形を変調してもよい。
【００５３】
波形データ生成部25は、変調部24の各部および音源選択部22から受信したデータに基づいて、選択された音源を用いて音の波形データを作成し、増幅部26に送信する。増幅部26は受信した波形データに基づき増幅してスピーカー15に出力する。スピーカー15は、増幅された音を出力する。
【００５４】
なお、アルコール濃度判定部21は、アルコール濃度が変調閾値以下である場合には、音を出力しないための無音信号を波形データ生成部25に送信してもよい。波形データ生成部25は、無音信号を受信した場合には、いかなる波形データも増幅部26に送信しない。これにより、ある程度飲酒した場合のみ音が出る電子笛を提供することができる。
【００５５】
また、アルコール濃度判定部21は、アルコール濃度が予め設定された警告閾値よりも高い場合には、波形データ生成部25に対し警告信号を送信し、警告閾値以下であって変調閾値よりも高い場合には、変調部24に対し変調信号を送信してもよい。警告閾値は、飲酒量が過剰か否かを決定するための閾値であり、変調閾値よりも高い値に設定される。
【００５６】
警告閾値は、図示しない記憶部に記憶されていてもよく、図示しない入力手段により利用者が入力したものであってもよい。
【００５７】
波形データ生成部25は、警告信号を受信した場合、飲酒量が過剰量であることを利用者に警告するための警告音の波形データを増幅部26に送信してもよい。警告音の波形データは、図示しない記憶部に予め記憶されていてもよい。これにより、変調部24からのデータに基づき生成された音に代わって警告音が出力される。
【００５８】
また、波形データ生成部25は、警告信号を受信した場合に、飲酒量が過剰量であることを利用者に警告する警告画像を生成するための画像生成信号を画像生成部27に送信してもよい。画像生成部27は、画像生成信号に基づき警告画像を表示部16に出力する。警告画像は、図示しない記憶部に予め記憶されていてもよい。警告画像は、目視で確認可能な表示であればよく、たとえば飲酒量を抑えることを促すメッセージまたは絵などを表示する画像であってもよい。
【００５９】
また、波形データ生成部25は、警告信号を受信した場合に、警告音の波形データを増幅部26に送信するとともに、画像生成信号を画像生成部27に送信してもよい。
【００６０】
また、電子笛1は、図示しない警告灯を備えていてもよく、波形データ生成部25が警告信号を受信した場合に、この警告灯を点灯させてもよい。警告灯には、たとえばLEDなどを用いることができる。
【００６１】
また、電子笛1は、図示しないアルコールモードスイッチを備えていてもよい。アルコールモードスイッチとは、通常モードとアルコールモードとを切り換えるためのスイッチである。通常モードとは、電子笛1を吹いたときに、アルコール濃度にかかわらず、押されたボタン13に対応する音がそのまま出力されるモードである。アルコールモードは、上述したように、呼気中のアルコール濃度に応じて音の波形が変調されるモードである。
【００６２】
アルコールモードスイッチは、たとえばアルコールセンサ12とアルコール濃度判定部21とを接続する信号線上に設けられてもよい。すなわち、通常モードでは、アルコールセンサ12とアルコール濃度判定部21とを接続する信号線が切断されており、アルコールモードスイッチがONの場合にアルコールセンサ12とアルコール濃度判定部21とが接続されてもよい。
【００６３】
次に、本発明の電子笛の一態様について説明する。図3は、本発明の電子楽器の一態様を表す図である。図3に示す電子笛1は、2つの球体が接続したひょうたんの形状を有しており、一方の球体に吹き口が設けられ、他方の球体に複数のボタン13、スピーカー15および警告灯51が設けられている。電子笛1は、吹き口の近くにアルコールセンサ12と圧力センサ14とを備えている。電子笛1の内部は中空になっており、制御回路基板11および電池ボックスが設置されている。
【００６４】
（処理の流れの具体例）
電子笛1を吹いてから音が出るまでの処理の流れの具体例について説明する。図4は、本発明の電子笛を使用する際の処理の流れの一例を示すフローチャート図である。なお、ここでは、圧力センサ14と検出部23との間に圧力値判定手段を備えており、かつアルコールセンサ12とアルコール濃度判定部21との間にアルコールモードスイッチを備えている場合について説明する。
【００６５】
利用者により電子笛1の吹き口に呼気が吹き込まれると、圧力センサ14が吹き込まれた呼気の圧力値（P）を検出して図示しない圧力値判定手段に送信する（ステップS1）。
【００６６】
次に、圧力値判定手段は、Pが発音閾値より大きいか否かを判定する（ステップS2）。Pが発音閾値以下である場合（NO）には、圧力値を検出部23に送信せず、電子笛1からの発音がなく（ステップS8）、処理が終了する。一方、Pが発音閾値より大きい場合（YES）には、ステップS3に移る。
【００６７】
ステップS3では、アルコール濃度判定部21が、アルコールモードスイッチがONになっているか否かを判定する（ステップS3）。ONになっていない場合（NO）には、アルコール濃度判定部21は、変調信号も警告信号も送信しない。したがって、音の波形が変調されずにそのまま出力され（ステップS9）、処理が終了する。一方、アルコールモードスイッチがONになっている場合（YES）には、ステップS4に移行する。
【００６８】
ステップS4では、アルコールセンサ12が呼気中のアルコール濃度（A）を検出してアルコール濃度判定部21に送信する（ステップS4）。
【００６９】
次に、アルコール濃度判定部21は、Aが警告閾値より高いか否かを判定し（ステップS5）、Aが警告閾値よりも高い場合（YES）には、警告信号を送信する。これにより、警告音が出力されるとともに警告画像が表示され（S10）、処理が終了する。Aが警告閾値以下である場合（NO）には、ステップS6に移る。
【００７０】
ステップS6では、アルコール濃度判定部21は、Aが変調閾値より高いか否かを判定し（ステップS6）、Aが変調閾値以下の場合（NO）には、無音信号を送信する。これにより、音が出力されず（ステップS11）、処理が終了する。Aが変調閾値より高い場合（YES）には、変調信号を送信する。
【００７１】
次に、変調部24が音の波形を変調させるために変換したデータに基づき、波形データ生成部25が変調された音の波形データを生成して増幅部26に送信する。これにより、変調された音が出力され（ステップS7）、処理が終了する。
【００７２】
この一連の処理は、電子笛1が演奏されている間、所定の周期で繰り返されてもよい。これにより、利用者の呼気中のアルコール濃度の変化に感度良く反応することができる。
【００７３】
なお、本実施形態では、電子楽器が電子笛である場合について説明したが、本発明の電子楽器は笛に限らずいかなる楽器であってもよい。なかでも、利用者の呼気を使用する楽器であれば、音の入力と同時に呼気中のアルコール濃度を検出することができる。たとえば、電子楽器は、ハーモニカ、サックス、トランペットなどであってもよい。また、本発明において、入力手段に入力される音は、人の声であってもよく、入力手段はマイクであってもよい。
【００７４】
本発明は、以上の構成により、音の変調の有無および警告音を介して、利用者にその飲酒量を知らせることができる。また、利用者だけでなく聴衆も、利用者のアルコール濃度および酔い具合がわかる。利用者は、自分が演奏する音を聞いて飲酒量を適切に把握し、調整することができる。また、電子笛1は、アルコール濃度測定機能だけでなく、演奏する機能も備えているため、エンタテイメント性が高く、宴会中に使用しやすい。そのため、利用者および聴衆に負荷をかけずに飲酒量を知らしめることができる。
【００７５】
本発明は上述した実施形態に限定されるものではなく、請求項に示した範囲で種々の変更が可能である。
【産業上の利用可能性】
【００７６】
本発明は、電子楽器、玩具などに好適に利用可能である。
【符号の説明】
【００７７】
1・・・電子笛（電子楽器）
2・・・電子笛モジュール（電子楽器用モジュール）
11・・・制御回路基板
12・・・アルコールセンサ（アルコール濃度検出手段）
13・・・ボタン（入力手段）
14・・・圧力センサ（入力手段）
15・・・スピーカー（出力手段）
16・・・表示部
21・・・アルコール濃度判定部
22・・・音源選択部
23・・・検出部
24・・・変調部（変調手段）
25・・・波形データ生成部
26・・・増幅部
27・・・画像生成部
28・・・CPU
29・・・ROM
30・・・RAM
31・・・音程検出部
32・・・和音検出部
33・・・拍子検出部
34・・・音量検出部
41・・・音程変調部
42・・・和音変調部
43・・・拍子変調部
44・・・音量変調部
51・・・警告灯
【図１】
2014163994.tif 000003
【図２】
2014163994.tif 000004
【図３】
2014163994.tif 000005
【図４】
2014163994.tif 000006